(57)【要約】本発明は、スノーボードの動きで回転される永久磁石と、永久磁石の周りに配置された誘導コイルとを備えた発光スノーボードに関する。永久磁石の回転が誘導コイル上に誘導電流を発生させ、この誘導電流が発光スノーボードの電源となる。
2005521494.tif 000002
【特許請求の範囲】
【請求項１】
同一の回転軸を有する回転羽によりデッキの上部に回転可能に設けられた永久磁石と、
前記永久磁石の周囲に固定された誘導コイルと、
前記誘導コイルに接続された発光ダイオードを含む発光ユニットとを備えたことを特徴とする発光スノーボード。
【請求項２】
請求項１に記載の発光スノーボードであって、
前記永久磁石、誘導コイル及び発光ユニットは、前記デッキの上部に取り付けられた筐体の内部に設けられたことを特徴とする発光スノーボード。
【請求項３】
請求項２に記載の発光スノーボードであって、
前記筐体の上部は、前記発光ダイオードの光が外部に透過する透過窓を含むことを特徴とする発光スノーボード。
【発明の詳細な説明】
【技術分野】
【０００１】
本発明は、スノーボードの動きによって回転される永久磁石と、永久磁石の周りに配置された誘導コイルとを備え、永久磁石の回転が誘導コイル上に誘導電流を発生させ、この誘導電流が電源となる発光スノーボードに関する。
【背景技術】
【０００２】
一般に、スノーボードは高速で滑降するため、スノーボーダは鮮やかな色のスキーウェアや一定の視界を確保するためのゴーグルを着用し、これにより衝突事故を防止している。
【０００３】
しかし、夜間にスノーボードをする場合、装身具を視認できず、事故が増加する。監視員が待機していても、事故を防止することは不可能である。
【発明の開示】
【発明が解決しようとする課題】
【０００４】
本発明は、上述した従来技術の問題を解決するためになされたもので、その目的は、発光ユニットを備えることにより一定の装飾効果をもたらし、夜間でも容易に視認可能な発光スノーボードを提供することである。
【０００５】
本発明のもう１つの目的は、スイッチ操作やバッテリ交換などの余計な操作を必要とせず、発光ユニットがスノーボードの動きによって発生する電流を使用して点滅する発光スノーボードを提供することである。
【課題を解決するための手段】
【０００６】
上述した本発明の目的を達成するために、発光スノーボードは、同一の回転軸を有する回転羽によりデッキの上部に回転可能に設けられた永久磁石と、永久磁石の周囲に固定された誘導コイルと、誘導コイルに接続された発光ダイオードを含む発光ユニットとを備える。
【０００７】
本発明の別の目的を達成するために、永久磁石、誘導コイル及び発光ダイオードは、デッキの上部に取り付けられた筐体の内部に設けられる。
【０００８】
本発明の別の目的を達成するために、筐体の上部は、発光ダイオードの光が外部に透過する透過窓を含む。
【発明を実施するための最良の形態】
【０００９】
本発明による発光スノーボードの好ましい実施の形態を添付図面を参照して説明する。
【００１０】
図１は本発明による発光スノーボードを示す正面図であり、図２は本発明における図１のＩ−Ｉ線の断面図であり、図３は本発明における永久磁石の構造を示す図である。
【００１１】
発光スノーボードは、デッキ１０の両側に取り付けられた２つの発光ユニット２０を備える。
【００１２】
発光ユニット２０は、筐体２１と、回転羽２２と、回転軸２３と、永久磁石２４と、誘導コイル２５と、発光ダイオード２６とからなる。
【００１３】
筐体２１は、デッキ１０上側の一方に取り付けられる。筐体２１の内部には、永久磁石２４、誘導コイル２５及び発光ダイオード２６が装着され、筐体２１の上部には円形の透過窓２７が複数形成され、そこから発光ダイオード２６の光が外部に透過する。
【００１４】
回転羽２２は回転軸２３の端部外面に設けられ、風により回転される。板状又は特定の方向に傾斜させたプロペラ状の羽は、回転軸２３の外面に放射状に形成される。
【００１５】
回転軸２３は、回転羽２２の回転中心軸を形成し、筐体２１の片側に平行に貫通し、筐体２１内部の永久磁石２４に取り付けられる。さらに、図２に示すように、支持部２３ａは、回転軸２３が垂直方向に動くように、回転軸２３の外面に形成される。さらに、ベアリング２３ｂは、回転軸２３を円滑に動作させるために装着される。
【００１６】
永久磁石２４は、回転軸２３の中心軸で回転可能となるように、筐体２１の内部に垂直に装着される。図３に示すように、Ｎ極及びＳ極は同じ外面に交互に形成される。回転軸２３を取り付けるための貫通孔は、円形状を成すように同じ内面に形成される。このとき、回転羽２２の回転力は、回転軸２３を介して永久磁石２４の回転力となる。
【００１７】
誘導コイル２５は、永久磁石２４から一定の幅を取って筐体２１の内部に動かないように装着され、永久磁石２４の回転運動による磁力の変化により発生する誘導起電力によって誘導電流を発生させる。
【００１８】
発光ダイオード２６は、筐体２１の内部に装着され、誘導コイル２５の延長線上に接続され、誘導コイル２５で発生した誘導電流により点灯する。
【００１９】
発光ダイオード２６は、視覚的効果を高めるために、様々な色の光を放射する複数の発光ダイオードで形成してもよく、あるいは透過窓２７が様々な色を生じさせるように形成してもよい。発光ダイオード２６の点滅動作によって発光がより視認できるように、反射板を発光ダイオードの下部に装着してもよい。
【００２０】
次に、本発明による発光スノーボードの発光動作を説明する。
【００２１】
発光スノーボードに乗って斜面を滑降すると、スノーボードの両側に装着された回転羽２２が風により回転され、回転羽２２の駆動力が回転軸２３を介して永久磁石２４に伝達され、回転羽２２及び永久磁石２４が一緒に回転される。
【００２２】
永久磁石２４が回転されるので、永久磁石２４の外面に交互に形成されたＮ極及びＳ極の磁力の変化により、誘導電流が誘導コイル２５に発生する。このように発生した誘導電流は、誘導コイル２５の延長線上に接続された発光ダイオードに与えられ、その結果、発光ダイオードが点灯する。
【００２３】
本発明はその趣旨又は本質から逸脱することなく、いくつかの形態で実施可能なものである。上述した実施の形態は、特に反対の記述がない限り、上述した説明によって限定されるものではなく、むしろ特許請求の範囲に規定された趣旨及び範囲内で広く解釈されるものである。したがって、特許請求の範囲内における全ての変更及び修正又は特許請求の範囲と均等なものは特許請求の範囲に包含されるものである。
【産業上の利用可能性】
【００２４】
上述の通り、本発明では、スノーボードに発光ユニットが設けられ、一定の視覚的装飾効果をもたらすとともに、夜間でも視認性をよくして衝突事故を防止する。
【００２５】
さらに、本発明では、バッテリ等の電力装置を追加したり、スイッチを操作したりすることなく、滑降によってスノーボードの発光ユニットが点滅するため、使用するのに便利である。
【図面の簡単な説明】
【００２６】
【図１】本発明の実施の形態による発光スノーボードを示す正面図である。
【図２】本発明における図１のＩ−Ｉ線の断面図である。
【図３】本発明における永久磁石の構造を示す図である。
【符号の説明】
【００２７】
１０  デッキ
２０  発光ユニット
２１  筐体
２２  回転羽
２３  回転軸
２３ａ  支持部
２３ｂ  ベアリング
２４  永久磁石
２５  誘導コイル
２６  発光ダイオード
２７  透過窓
【図１】
2005521494.tif 000003
【図２】
2005521494.tif 000004
【図３】
2005521494.tif 000005
【国際調査報告】
2005521494.tif 000006